(57)【要約】【課題】  患者の医療知識の有無にかかわらず、患者の自覚症状から受診する医師を自分で選択でき、患者の自覚症状から受診する医師を素早く捜すことができるる医師捜し情報誌を提供する。【解決手段】  患者の自覚症状で分類した医師捜し情報誌であって、患者の自覚症状例と医師に関する情報を掲載した、複数頁にわたる誌面を有する本文部分２と、当該本文部分の各誌面に記載されている字句または事項と関連づけられた字句または事項が掲載されている目次または索引部分３とを有する。【選択図】図１
2014144535.tif 000002
【特許請求の範囲】
【請求項１】
患者の自覚症状で分類した医師捜し情報誌であって、
患者の自覚症状例と医師に関する情報を掲載した、複数頁にわたる誌面を有する本文部分と、
当該本文部分の各誌面に記載されている字句または事項と関連づけられた字句または事項が掲載されている目次または索引部分と、
を有し、
前記各誌面には、
患者の自覚症状を記載した欄または部分と、
得意な医療分野を含む医師の個人情報を紹介した欄または部分と、
当該医師が所属する医療機関の情報を紹介した欄または部分と、
を有し、    
前記患者の自覚症状を記載した欄または部分には、前記医師の得意分野を紹介した欄または部分に記載されている当該医師の得意分野と関連する複数の自覚症状例が記載されており、
前記医師の個人情報を紹介した欄または部分には、少なくとも医師の氏名が記載されており、
前記本文部分の前記医師に関する情報は、複数の誌面に掲載されており、
前記目次または索引部分には、
人の全身を表した自覚症状対応図と、
当該自覚症状対応図のうち、患者の自覚症状と関係する身体の部分の近傍に配置されている患者の自覚症状の欄または部分と、
当該自覚症状の欄または部分に記載された複数の自覚症状の記載と、
当該複数の自覚症状に該当する本文部分の頁番号の記載と、
を有し、
前記目次または索引部分の患者の自覚症状の欄または部分の記載と、本文部分の該当頁の前記患者の自覚症状を記載した欄または部分の記載は、一致している、
医師捜し情報誌。
【請求項２】
人の全身を表した自覚症状対応図は、頭部と、頸部と、体幹部と、上肢部、下肢部とを備え、頭部と頸部は同色で表し、体幹部のへそ部分から上を同色で表し、体幹部のへそ部分から下及び下肢部を同色で表し、上肢部を同色で表し、前記各色はそれぞれ異なっている、
請求項１記載の医師捜し情報誌。
【請求項３】
本文部分のうち、患者の自覚症状例と医師に関する情報を掲載した誌面は、縦方向に複数に区画された区画部を有し、
当該各区画部には、患者の自覚症状を記載した欄または部分、得意な医療分野を含む医師の個人情報を紹介した欄または部分、当該医師が所属する医療機関の情報を紹介した欄または部分を有し、これらの各欄または部分はそれぞれ縦方向の同じ位置に並べて配列されている、
請求項１または２記載の医師捜し情報誌。
【請求項４】
患者の自覚症状を記載した欄または部分、得意な医療分野を含む医師の個人情報を紹介した欄または部分、当該医師が所属する医療機関の情報を紹介した欄または部分が、左開きの場合は左から右にかけて前記順序で記載されており、右開きの場合は右から左にかけて前記順序で記載されている、
請求項３記載の医師捜し情報誌。
【発明の詳細な説明】
【技術分野】
【０００１】
本発明は、医師捜し情報誌に係り、更に詳しくは、医療知識がない、または乏しい患者でも、患者の自覚症状からその自覚症状に対応できる医師を迅速に捜すことができる、医師捜し情報誌に関する。
【背景技術】
【０００２】
患者が何らかの病気を患って自分の身体に異常を感じた場合、その自覚症状に適しかつ信頼おける医師を捜すのは、困難である。これは医師に関する情報不足によるものであり、従来は、医師を捜す情報は人づてによって得られていたが、最近では、例えば、フリーペーパーと呼ばれる無料情報誌の医療機関の広告や、インターネット上のＷｅｂサイト情報から得られることも多い（非特許文献１）。
【０００３】
無料情報誌の広告の場合、情報の内容としては、医療機関の建物、医療機関が有する医療機器などの設備、診療科目、検査内容、医師情報、医師が取得した資格や、当該医療機関で受診している患者の病名などを紹介したものが多い。
【０００４】
インターネット上のＷｅｂサイト情報では、張られたリンクや階層構造を利用して探索することによって、特定の疾患に対応できる医療機関を捜すことができるが、その内容は無料情報誌の場合とそれほど異ならない。
【先行技術文献】
【非特許文献】
【０００５】
【非特許文献１】http://www.10man-doc.co.jp/
【発明の概要】
【発明が解決しようとする課題】
【０００６】
他方、無料情報誌やＷｅｂサイト情報から、医療機関が有する医療機器や、検査内容などの情報が得られたとしても、患者の自覚症状にその医療機器や、検査内容が必要かどうかは、ある程度の医療知識を必要とするために、医療知識のない、または乏しい患者は自分にとって必要とする医療機関を選択することが困難である。
【０００７】
診療科目として、例えば神経科、神経内科、心療内科、精神科等の記載が表示されていても、これらの科目の違いやどのような疾患を専門としているのかについては、相当の医療の知識が必要である。
【０００８】
また、疾病部位や自覚症状で探すことも考えられるが、探索結果でまず初めに出てくるのが医療機関の情報であり、医師の氏名は最後の方に出てくる。
したがってために、自覚症状に対応できる医師にたどり着くまでに時間を要するのが実情である。
【０００９】
本発明者は、前記のような実情に鑑み、患者が何らかの病気を患って自分の身体に異常を感じた場合、医療知識がない、または乏しい患者でも、その自覚症状に適し、かつ信頼おける医師を素早く探すことができる情報誌の開発に取り組み、本発明を完成するに至った。
【００１０】
（本発明の目的）
本発明の目的は、患者の医療知識の有無にかかわらず、患者の自覚症状から受診する医師を自分で選択できる医師捜し情報誌を提供することにある。
また本発明の他の目的は、患者の自覚症状から受診する医師を素早く捜すことができる医師捜し情報誌を提供することにある。
【課題を解決するための手段】
【００１１】
前記課題を解決するために本発明が講じた手段は次のとおりである。
本発明は、
患者の自覚症状で分類した医師捜し情報誌であって、
患者の自覚症状例と医師に関する情報を掲載した、複数頁にわたる誌面を有する本文部分と、
当該本文部分の各誌面に記載されている字句または事項と関連づけられた字句または事項が掲載されている目次または索引部分と、
を有し、
前記各誌面には、
患者の自覚症状を記載した欄または部分と、
得意な医療分野を含む医師の個人情報を紹介した欄または部分と、
当該医師が所属する医療機関の情報を紹介した欄または部分と、
を有し、    
前記患者の自覚症状を記載した欄または部分には、前記医師の得意分野を紹介した欄または部分に記載されている当該医師の得意分野と関連する複数の自覚症状例が記載されており、
前記医師の個人情報を紹介した欄または部分には、少なくとも医師の氏名が記載されており、
前記本文部分の前記医師に関する情報は、複数の誌面に掲載されており、
前記目次または索引部分には、
人の全身を表した自覚症状対応図と、
当該自覚症状対応図のうち、患者の自覚症状と関係する身体の部分の近傍に配置されている患者の自覚症状の欄または部分と、
当該自覚症状の欄または部分に記載された複数の自覚症状の記載と、
当該複数の自覚症状に該当する本文部分の頁番号の記載と、
を有し、
前記目次または索引部分の患者の自覚症状の欄または部分の記載と、本文部分の該当頁の前記患者の自覚症状を記載した欄または部分の記載は、一致している、
医師捜し情報誌である。
【００１２】
医師個人を紹介する欄には、照会される医師の写真が掲載されているのが好ましい。
【００１３】
本文部分のうち、患者の自覚症状例と医師に関する情報を掲載した誌面は、縦方向に複数に区画された区画部を有し、
当該各区画部には、患者の自覚症状を記載した欄または部分、得意な医療分野を含む医師の個人情報を紹介した欄または部分、当該医師が所属する医療機関の情報を紹介した欄または部分を有し、これらの各欄または部分はそれぞれ縦方向の同じ位置に並べて配列されているのが好ましい。
【００１４】
患者の自覚症状を記載した欄または部分、得意な医療分野を含む医師の個人情報を紹介した欄または部分、当該医師が所属する医療機関の情報を紹介した欄または部分が、左開きの場合は左から右にかけて前記順序で記載されており、右開きの場合は右から左にかけて前記順序で記載されているのが好ましい。
【００１５】
人の全身を表した自覚症状対応図は、頭部と、頸部と、体幹部と、上肢部、下肢部とを備え、頭部と頸部は同色で表し、体幹部のへそ部分から上を同色で表し、体幹部のへそ部分から下及び下肢部を同色で表し、上肢部を同色で表し、前記各色はそれぞれ異なっているのが好ましい。
自覚症状対応図は、全身を表す場合には前記各部の色とは区別できる色または模様を付すのが好ましい。
【００１６】
特許請求の範囲及び明細書、要約書において、「欄」の用語は、誌面のうち枠や罫線で囲まれた部分を指称する意味で使用しており、「部分」の用語は、誌面の一部分ではあるが枠や罫線で囲まれていない部分を指称する意味で使用している。
【００１７】
（作用）
患者が自覚症状を感じた場合、目次または索引部分の自覚症状対応図から自覚症状と関係する身体の部分を探す。
自覚症状対応図の身体の部分の近傍には、患者の自覚症状の欄または部分が配置されているので、自覚症状の欄または部分に記載された複数の自覚症状の中から、自分の自覚症状と同じ記載を捜す。
【００１８】
自分の自覚症状と同じ記載を捜しあてたら、その記載が掲載されている本分部分の該当頁をめくる。本文部分の該当頁には、患者の自覚症状を記載した欄または部分があり、その中に記載されている複数の自覚症状の中から、患者自身にあてはまる自覚症状を確認する。
なお、患者の自覚症状を記載した欄または部分の中に複数の自覚症状が記載されているので、患者にとっては、自分の自覚症状が、疾病か否か、自分で予測することもできる。
【００１９】
患者自身にあてはまる自覚症状の記載を確認したら、診察してもらう医師を決める。
前記のように患者の自覚症状を記載した欄または部分には、複数の自覚症状が記載されており、患者が複数の自覚症状を感じている場合に、複数の自覚症状のすべてが患者の自覚症状を記載した欄または部分に含まれていれば、その医師は、患者にとって最適な医師ということができ、患者自身で最適な医師を選ぶことができる。
【発明の効果】
【００２０】
以上、説明したように、本発明によれば、下記の効果を奏する。
患者の自覚症状例と医師に関する情報を掲載した本文部分と、本文部分の各誌面に記載されている字句または事項と関連づけられた字句または事項が掲載されている目次または索引部分とを有するので、患者に医療の知識がなくてもまたは乏しくても、患者の自覚症状から受診するのに適した医師を自分で捜すことができる。
【００２１】
目次または索引部分には、人の全身を表した自覚症状対応図と、自覚症状対応図のうち、患者の自覚症状と関係する身体の部分の近傍に配置されている患者の自覚症状の欄または部分と、当該自覚症状の欄または部分に記載された複数の自覚症状の記載と、当該複数の自覚症状に該当する本文部分の頁番号の記載と、を有し、前記目次または索引部分の患者の自覚症状の記載と、本文部分の該当頁の前記患者の自覚症状を記載した欄または部分の記載は、一致しているので、患者の自覚症状から受診する医師を素早く捜すことができる。
【００２２】
本文部分の患者の自覚症状例と医師に関する情報を掲載した誌面は、縦方向に複数に区画された区画部を有し、各区画部には、患者の自覚症状を記載した欄または部分、得意な医療分野を含む医師の個人情報を紹介した欄または部分、当該医師が所属する医療機関の情報を紹介した欄または部分を有し、これらの欄または部分がそれぞれ縦方向の同じ位置に並べて配列されているものは、上下の同じ位置に同様の情報があることによって医師やその他の情報の比較が容易にできるため、より患者に好ましい医師を捜すことができる。
【００２３】
本文部分の医師に関する情報は、複数の誌面に掲載されており、情報誌に掲載されている医師は全員が複数回登場するので、患者が複数の自覚症状を有する場合、自覚症状が重なる同一の医師が患者に印象づけられ、かかりつけ医として選択する場合の一助となる。
【図面の簡単な説明】
【００２４】
【図１】医師捜し情報誌の概略を示す斜視図である。
【図２】図１に示す情報誌の本文部分の見開きの一部を示す説明図である。
【図３】図１に示す情報誌の本文部分の見開きの一部を示す説明図である。
【発明を実施するための形態】
【００２５】
本発明を図に示した実施の形態に基づき詳細に説明する。
図１ないし３において、医師捜し情報誌１は、患者の自覚症状例と医師に関する情報を掲載した複数頁にわたる誌面を有する本文部分２と、本文部分２の各頁の誌面に記載されている字句または事項（以下、「事項」という。）と関連づけられた事項が掲載されている目次または索引部分３を有する。目次または索引部分３については後記する。
【００２６】
本分部分２全体は、患者の自覚症状例と医師に関する情報を掲載した誌面だけで構成されるのが原則であるが、場合によっては、医療情報のトピックや薬の紹介などの誌面が含まれることもある。
【００２７】
本文部分２のうち、患者の自覚症状例と医師に関する情報を掲載した各誌面は、図１，２に示すように上下四段に区画された区画部２０を有する。区画部２０の数は四つに限定されるものではなく、区画方向も横方向や左右上下の四方に配置してもよい。
【００２８】
各誌面の各区画部２０には、患者の自覚症状を記載した欄２１と、得意な医療分野２３を紹介した部分を含む医師の個人情報を紹介した部分２２と、医師が所属する医療機関の情報を紹介した部分２４を有する。
【００２９】
患者の自覚症状を記載した欄２１には、医師の得意分野を紹介した部分２３に記載されている当該医師の得意分野と関連する複数（本実施の形態では三つ）の自覚症状例２１１、２１２、２１３が、上下３段に分けて記載されている。
【００３０】
本実施の形態では、自覚症状例２１１として「少し動いただけで息切れがする」、自覚症状例２１２として「咳、痰が出る」、自覚症状例２１３として「睡眠中のいびきがひどい」という自覚症状を記載しているが、これらの自覚症状に限定されないのは言うまでもない。なお、自覚症状例２１１、２１２、２１３の書きだしの前に、自分の自覚症状にチェックを入れるチェックボックス（符号省略）が配置されている。
【００３１】
」
患者の自覚症状を記載した欄２１の右側には、医師の個人情報を紹介した部分２２が掲載されている。医師の個人情報を紹介した部分２２には、医師の氏名と共に医師の写真が掲載されている。また、医師の血液型、出身地、夢や希望など、患者が医師を身近に感じるような情報が記載されている。医師の個人情報を紹介した部分２２の中には、医療における医師の得意な分野を紹介した部分２３を含んでいる。
なお、医師に関する情報は、多くは頁が異なる複数の誌面に掲載されるが、同じ誌面で二つ以上の区画に掲載されることもある。
【００３２】
医師の個人情報を紹介した部分２２の右側には、当該医師が所属する医療機関、すなわち、医院や病院の情報を紹介した部分２４が掲載されている。医院や病院の情報としては、医院や病院の名称、郵便番号、住所、電話番号、ファックス番号、駐車場の有無、地図、最寄り駅、目印となるものなどがあげられる。
【００３３】
患者の自覚症状を記載した欄２１、医師の個人情報を紹介した部分２２、医師が所属する医療機関の情報を紹介した部分２４が、この順序で左から右方向にかけて掲載されているのは、情報誌の構成が左開きであるために、患者にとって重要度の高い記事や情報が早く目につくようにするためである。情報誌の構成が右開きの場合は、前記順序も逆なる。
【００３４】
また、前記配列によって縦方向の同じ位置に同様の情報が配置されるので、それぞれの区画に掲載された同様の情報の対比が容易となり、患者に取って好ましい医師や医療機関を捜しやすくしている。
【００３５】
目次または索引部分３には、人の全身を表した自覚症状対応図３１が掲載されている。自覚症状対応図３１は、頭部３１１、頸部３１２、体幹部３１３、上肢部３１４、下肢部３１５を備えている。頭部３１１と頸部３１２は同色で表し、体幹部３１３のへそ部分から上を同色で表し、体幹部３１３のへそ部分から下及び下肢部３１５を同色で表し、上肢部３１４を同色で表している。前記各色はそれぞれ異なっており、自覚症状対応図３１を目視したときに自覚症状部分が素早く検索できるようにしている。
【００３６】
頭部３１１と頸部３１２は同色で表し、体幹部３１３のへそ部分から上を同色で表し、体幹部３１３のへそ部分から下及び下肢部３１５を同色で表しているのは、へそ部分から下と下肢部は関連する病気が多いからである。
また、頭部３１１、頸部３１２、体幹部３１３、上肢部３１４、下肢部３１５の表面を被覆して全身部３１６を設けて、前記各部には分類しにくい全身の自覚症状を表している。
【００３７】
自覚症状対応図３１のうち、患者の自覚症状と関係する身体の各部分、すなわち頭部３１１、頸部３１２、体幹部３１３、上肢部３１４、下肢部３１５、全身部３１６の近傍には、それぞれ患者の自覚症状の欄３２、３３、３４、３５、３６を有する。
自覚症状の欄３２には、頭部３１１及び頸部３１２に係わる複数の自覚症状例が記載されている。
自覚症状の欄３３には、体幹部３１３のへそ部分から下及び下肢部３１５に係わる複数の自覚症状例が記載されている。
【００３８】
自覚症状の欄３４には、体幹部３１３のへそ部分から上に係わる複数の自覚症状例が記載されている。
自覚症状の欄３５には、上肢部３１４に係わる複数の自覚症状例が記載されている。
自覚症状の欄３６には、前記に分類できないか、または全身部３１６に係わる複数の自覚症状例が記載されている。
各自覚症状の欄３２、３３、３４、３５、３６の自覚症状の記載の後方には、当該自覚症状に該当する患者の自覚症状を記載した欄２１を有する本文部分２の頁番号が記載されている。
【００３９】
目次または索引部分３の患者の自覚症状の欄３２、３３、３４、３５、３６に記載した自覚症状の記載と、本文部分２の該当頁の患者の自覚症状を記載した欄２１の自覚症状の記載は一致しており、患者の自覚症状をよってその自覚症状に対して診察、診療が可能な目的とする医師の検索が素早くできるようにしている。
【００４０】
また、本文部分２の各頁の小口側端近傍には、目次または索引部分３に記載した自覚症状対応図３１における身体の自覚症状部分を着色した見出し図形２５と、患者の自覚症状を記載した見出し欄２６を掲載して、該当頁の探索の便宜を図っている。
【００４１】
（作用）
患者が自覚症状を感じた場合、目次または索引部分３の自覚症状対応図３１の頭部３１１、頸部３１２、体幹部３１３、上肢部３１４、下肢部３１５、全身部３１６の中から自覚症状のある体の部分を探す。頭部３１１、頸部３１２、体幹部３１３、上肢部３１４、下肢部３１５、全身部３１６の近傍に配置されている患者の自覚症状の欄３２、３３、３４、３５、３６の自覚症状例の記載の中から自分の自覚症状と同じ自覚症状を捜す。
【００４２】
自分の自覚症状と同じ自覚症状を捜しあてたら、その自覚症状が掲載されている頁をめくる。本文部分２の該当頁には、自覚症状を記載した欄２１があり、その中に記載されている複数の自覚症状の中から、患者自身にあてはまる自覚症状を確認する。
【００４３】
患者自身にあてはまる自覚症状の記載を確認したら、右側の医師の個人情報を紹介した部分２２の医師の氏名と医師の写真を確認し、自分にとって信頼できそうな医師を選択し診察してもらう医師を決める。医師の個人情報を紹介した部分２２の中には、当該医師の得意な医療分野を紹介した部分２３を含んでいるので、それも選択の要素とする。
【００４４】
自覚症状を記載した欄２１には、複数の自覚症状が記載されており、患者が複数の自覚症状を感じている場合に、その自覚症状のすべてが含まれていれば、その医師は、患者にとって最適な医師ということができ、したがって、患者自身で最適な医師を選ぶことができる。
【００４５】
また、医師に関する情報は、本文部分２の二つ以上の頁や同じ頁で二つ以上の区画に掲載されているので、患者の自覚症状から医師を捜すときに、同じ医師に遭遇した場合は、その医師は自分にとって必要な医師ということが判断でき、かかりつけの医師とする動機づけとなる。
【００４６】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００４７】
１  医師捜し情報誌
２  本文部分
２０  区画部
２１  患者の自覚症状を記載した欄
２１１、２１２、２１３  自覚症状例
２２  医師の個人情報を紹介した部分
２３  得意な医療分野
２４  医療機関の情報を紹介した部分
２５  見出し図形
２６  見出し欄
３  目次または索引部分
３１  自覚症状対応図
３１１  頭部
３１２  頸部
３１３  体幹部
３１４  上肢部
３１５  下肢部
３１６  全身部
３２、３３、３４、３５、３６  自覚症状の欄
【図１】
2014144535.tif 000003
【図２】
2014144535.tif 000004
【図３】
2014144535.tif 000005